(57)【要約】【課題】プラズマデイスプレイ装置などの平面型表示装置において、設置場所に応じて前面枠のデザインを容易に変更可能とすることを目的とする。【解決手段】パネル及びこのパネルの背面側に配置されかつパネルに信号を印加して表示を行う回路ブロックからなる表示ユニットと、この表示ユニットの回路ブロックが配置された背面側を覆うように配設したバックカバー１４と、このバックカバー１４とともに前記表示ユニットを収容する筐体を構成して前記パネルの前面側に配置されかつ前記パネルの表示領域に対応した窓１５ａを有するとともに表示領域以外の周辺部を覆う前面枠１５とを備え、前記前面枠１５の外側に、前面枠１５と異なるデザインを有するとともに前記前面枠１５の窓１５ａとほぼ同じ大きさの窓２０ａを有する飾り用前面枠２０を取り付けたものである。【選択図】　図１
2004072149.tif 000002
【特許請求の範囲】
【請求項１】
パネル及びこのパネルの背面側に配置されかつパネルに信号を印加して表示を行う回路ブロックからなる表示ユニットと、この表示ユニットの回路ブロックが配置された背面側を覆うように配設したバックカバーと、このバックカバーとともに前記表示ユニットを収容する筐体を構成して前記パネルの前面側に配置されかつ前記パネルの表示領域に対応した窓を有するとともに表示領域以外の周辺部を覆う前面枠とを備え、前記前面枠の外側に、前面枠と異なるデザインを有するとともに前記前面枠の窓とほぼ同じ大きさの窓を有する飾り用前面枠を取り付けたことを特徴とする平面型表示装置。
【請求項２】
飾り用前面枠は、前面枠とほぼ同じ形状とし、前面枠の外側に被せるように取り付けた請求項１に記載の平面型表示装置。
【請求項３】
飾り用前面枠は、前面枠の外面に両面接着テープにより接着して取り付けた請求項１に記載の平面型表示装置。
【請求項４】
飾り用前面枠に前面枠の一部に係止する係止片を設け、飾り用前面枠を前面枠の外側に被せるとともに前記係止片を前面枠に係止させて飾り用前面枠を前面枠に取り付けた請求項１に記載の平面型表示装置。
【請求項５】
飾り用前面枠は、前面枠の外側に被せるように取り付けられるベース枠と、このベース枠の前面に取り付けられる飾り板とで構成した請求項１に記載の平面型表示装置。
【発明の詳細な説明】
【０００１】
【発明の属する技術分野】
本発明は、大画面で、薄型、軽量のディスプレイ装置として知られているプラズマディスプレイ装置などの平面型表示装置に関するものである。
【０００２】
【従来の技術】
このプラズマディスプレイ装置では、ガス放電により紫外線を発生させ、この紫外線で蛍光体を励起して発光させカラー表示を行っている。そして、基板上に隔壁によって区画された表示セルが設けられており、これに蛍光体層が形成されている構成を有する。
【０００３】
このプラズマディスプレイ装置には、大別して、駆動的にはＡＣ型とＤＣ型があり、放電形式では面放電型と対向放電型の２種類があるが、高精細化、大画面化および製造の簡便性から、現状では、プラズマディスプレイ装置の主流は、３電極構造の面放電型のもので、その構造は、一方の基板上に平行に隣接した表示電極対を有し、もう一方の基板上に表示電極と交差する方向に配列されたアドレス電極と、隔壁、蛍光体層を有するもので、比較的蛍光体層を厚くすることができ、蛍光体によるカラー表示に適している。
【０００４】
このようなプラズマディスプレイ装置は、液晶パネルに比べて高速の表示が可能であり、視野角が広いこと、大型化が容易であること、自発光型であるため表示品質が高いことなどの理由から、フラットパネルディスプレイの中で最近特に注目を集めており、多くの人が集まる場所での表示装置や家庭で大画面の映像を楽しむための表示装置として各種の用途に使用されている。
【０００５】
以下、プラズマディスプレイ装置について、図７〜図９を用いて説明する。まず、プラズマディスプレイ装置におけるプラズマディスプレイパネルの構造について図７を用いて説明する。図７に示すように、ガラス基板などの透明な前面側の基板１上には、スキャン電極とサステイン電極とで対をなすストライプ状の表示電極２が複数列形成され、そしてその電極群を覆うように誘電体層３が形成され、その誘電体層３上には保護膜４が形成されている。
【０００６】
また、前記前面側の基板１に対向配置される背面側の基板５上には、スキャン電極及びサステイン電極の表示電極２と交差するように、オーバーコート層６で覆われた複数列のストライプ状のアドレス電極７が形成されている。このアドレス電極７間のオーバーコート層６上には、アドレス電極７と平行に複数の隔壁８が配置され、この隔壁８間の側面およびオーバーコート層６の表面に蛍光体層９が設けられている。
【０００７】
これらの基板１と基板５とは、スキャン電極およびサステイン電極の表示電極２とアドレス電極７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁８によって複数の区画に仕切ることにより、表示電極２とアドレス電極７との交点が位置する複数の放電セルが設けられ、その各放電セルには、赤色、緑色及び青色となるように蛍光体層９が一色ずつ順次配置されている。
【０００８】
このような電極構成のプラズマディスプレイパネルにおいては、アドレス電極とスキャン電極の間に書き込みパルスを印加することにより、アドレス電極とスキャン電極の間でアドレス放電を行い、放電セルを選択した後、スキャン電極とサステイン電極との間に、交互に反転する周期的な維持パルスを印加することにより、スキャン電極とサステイン電極との間で維持放電を行い、所定の表示を行うものである。
【０００９】
図８は上記で説明した構造のパネルを組み込んだプラズマディスプレイ装置の全体構成の一例を示す分解斜視図である。図において、パネル１０は、アルミニウム等からなるシャーシ部材１１の前面に熱伝導シート１２を介して接着することにより保持され、そしてシャーシ部材１１の後面側には、パネル１０を表示駆動させるための複数の回路ブロック１３が取り付けられ、これにより表示ユニットが構成されている。前記熱伝導シート１２は、パネル１０で発生した熱をシャーシ部材１１に効率よく伝え、放熱を行うためのものである。また、回路ブロック１３はパネル１０の表示駆動とその制御を行うための電気回路を備えており、パネル１０の縁部に引き出された電極引出部に、シャーシ部材１１の四辺の縁部を越えて延びる複数のフレキシブル配線板（図示せず）によって電気的に接続されている。
【００１０】
前記表示ユニットを収容する筐体は、表示ユニットの回路ブロック１３が配置された背面側を覆うように配設したバックカバー１４と、前記表示ユニットのパネル１０の前面側に配置されかつ前記パネル１０の表示領域に対応した窓１５ａを有するとともに表示領域以外の周辺部を覆う前面枠１５とから構成され、前面枠１５の窓１５ａには光学フィルターおよびパネル１０の保護を兼ねた前面ガラス１６が配置されている。また、この前面ガラス１６には電磁波の不要輻射を抑制するために、例えば銀蒸着が施されている。さらに、バックカバー１４には、パネル１０等で発生した熱を外部に放出するための複数の通気孔１４ａが設けられている。また、シャーシ部材１１の後面には、回路ブロック１３を取り付けたり、バックカバー１４を固定するためのボス部１１ａが設けられている。
【００１１】
図９は完成状態のプラズマディスプレイ装置を前面側から見た斜視図で、前面枠１５の前面の下部には、電源ボタン１７、動作表示ランプ１８、リモコン受光部１９が配置されている。
【００１２】
【発明が解決しようとする課題】
このようなプラズマデイスプレイ装置においては、奥行きが薄いため、駅、空港、お店等で、建物の壁に取り付け、広告表示用等として幅広い用途が考えられており、プラズマディスプレイ装置の前面枠の色について、壁の色との調和を考慮した色展開が求められている。
【００１３】
しかしながら、プラズマディスプレイ装置の設置場所に応じて、前面枠の色を変えるようにすると、その色に応じた製品を用意するする必要があり、生産する機種も種類が増え、管理も大変になるという課題がある。
【００１４】
本発明はこのような課題に鑑みなされたもので、プラズマデイスプレイ装置などの平面型表示装置において、設置場所に応じて前面枠のデザインを容易に変更可能とすることを目的とする。
【００１５】
【課題を解決するための手段】
上記目的を達成するために本発明は、前面枠の外側に、前面枠と異なるデザインを有するとともに前記前面枠の窓とほぼ同じ大きさの窓を有する飾り用前面枠を取り付けたものである。
【００１６】
【発明の実施の形態】
すなわち、本発明の請求項１記載の発明は、パネル及びこのパネルの背面側に配置されかつパネルに信号を印加して表示を行う回路ブロックからなる表示ユニットと、この表示ユニットの回路ブロックが配置された背面側を覆うように配設したバックカバーと、このバックカバーとともに前記表示ユニットを収容する筐体を構成して前記パネルの前面側に配置されかつ前記パネルの表示領域に対応した窓を有するとともに表示領域以外の周辺部を覆う前面枠とを備え、前記前面枠の外側に、前面枠と異なるデザインを有するとともに前記前面枠の窓とほぼ同じ大きさの窓を有する飾り用前面枠を取り付けたものである。
【００１７】
また、請求項２に記載の発明は、請求項１において、飾り用前面枠は、前面枠とほぼ同じ形状とし、前面枠の外側に被せるように取り付けたものである。
【００１８】
また、請求項３に記載の発明は、請求項１において、飾り用前面枠は、前面枠の外面に両面接着テープにより接着して取り付けたものである。
【００１９】
また、請求項４に記載の発明は、請求項１において、飾り用前面枠に前面枠の一部に係止する係止片を設け、飾り用前面枠を前面枠の外側に被せるとともに前記係止片を前面枠に係止させて飾り用前面枠を前面枠に取り付けたものである。
【００２０】
さらに、請求項５に記載の発明は、請求項１において、飾り用前面枠は、前面枠の外側に被せるように取り付けられるベース枠と、このベース枠の前面に取り付けられる飾り板とで構成したものである。
【００２１】
以下、本発明の一実施の形態による平面型表示装置について、プラズマディスプレイ装置を例に図１〜図６を用いて説明する。なお、図１〜図６において、図７〜図９に示す部分と同一部分については、同一番号を付している。
【００２２】
図１に本発明の一実施の形態によるプラズマディスプレイ装置の外観を示し、図２にその飾り用前面枠を内側から見た図を示しており、図１において、本発明のプラズマディスプレイ装置は、パネル及びこのパネルの背面側に配置されかつパネルに信号を印加して表示を行う回路ブロックからなる表示ユニットの背面側を覆うように配設した金属製のバックカバー１４と、このバックカバー１４とともに前記表示ユニットを収容する筐体を構成して前記パネルの前面側に配置されかつ前記パネルの表示領域に対応した窓１５ａを有するとともに表示領域以外の周辺部を覆う金属または耐熱性の樹脂からなる前面枠１５とを備えており、前面枠１５の前面の下部には、電源ボタン１７、動作表示ランプ１８、リモコン受光部１９が配置されている。
【００２３】
飾り用前面枠２０は、前面枠１５と異なる色、模様等のデザインを有し、かつ前面枠１５とほぼ同じ形状で、前記前面枠１５の窓１５ａとほぼ同じ大きさの窓２０ａを有するものである。この飾り用前面枠２０は、前面枠１５の外側に被せられ、図２に示すように、両面接着テープ２１により前面枠１５の外面に接着して取り付けられている。また、飾り用前面枠２０の前面下部には、前面枠１５に配置した電源ボタン１７、動作表示ランプ１８、リモコン受光部１９それぞれに対応する開口部２２が設けられており、飾り用前面枠２０を前面枠１５の外側に被せた状態でプラズマディスプレイ装置の操作、並びに動作状態の確認が可能なように構成されている。
【００２４】
なお、ここで、飾り用前面枠２０を前面枠１５に取り付ける手段として、図３に示すように、飾り用前面枠２０に前面枠１５の後端１５ｂに係止する係止片２３を設け、図４に示すように、飾り用前面枠２０を前面枠１５の外側に被せるとともに、前記係止片２３を前面枠１５の後端１５ｂに係止させて飾り用前面枠２０を前面枠１５に取り付けるように構成してもよい。
【００２５】
図５、図６に本発明の他の実施の形態を示しており、この実施の形態では、前面枠１５に取り付けられる飾り用前面枠２４を、前面枠１５の外側に被せるように取り付けられるベース枠２５と、このベース枠２５の前面に取り付けられる飾り板２６とで構成し、飾り板２６をベース枠２５に両面接着テープ２７により接着して取り付けるようにしたものである。ベース枠２５には位置決め用の孔２８を設け、ベース枠２５に取り付けられる飾り板２６には孔２８に挿入されて位置決めを行うためのダボ２９が設けられている。また、ベース枠２５、飾り板２６には、前記飾り用前面枠２０と同様に、窓２５ａ、２６ａや、プラズマディスプレイ装置の操作、並びに動作状態の確認が可能な開口部３０が設けられている。
【００２６】
この実施の形態の場合、ベース枠２５を金属または樹脂の成型品により構成し、飾り板２６を木材により構成することにより、木質感を持つ飾り用前面枠２４を容易に得ることができる。
【００２７】
以上説明したように本発明によれば、前面枠１５に色々な色、模様を持つ飾り用前面枠２０、２４を取り付けることにより、簡単に早く好みの色に対応することができる。なお、以上の説明では、平面型表示装置として、プラズマディスプレイ装置の場合を例にとって説明したが、その他の平面型表示装置にも本発明を適用することができる。
【００２８】
【発明の効果】
以上のように本発明によれば、表示装置本体に何等の加工を施すことなく、設置場所に応じて前面枠のデザインを容易に変更可能とすることができ、自由なデザイン、自由な色を持つ平面型表示装置を安価に素早く提供することができる。
【図面の簡単な説明】
【図１】本発明の一実施の形態によるプラズマディスプレイ装置の外観を示す斜視図
【図２】飾り用前面枠を内側から見た斜視図
【図３】飾り用前面枠の他の例の要部を示す斜視図
【図４】同じく要部構造を示す断面図
【図５】本発明の他の実施の形態によるプラズマディスプレイ装置の飾り用前面枠を示す斜視図
【図６】同飾り用前面枠の飾り板を裏側から見た斜視図
【図７】プラズマディスプレイ装置のパネル構造を示す斜視図
【図８】同プラズマディスプレイ装置の内部の配置構造を示す分解斜視図
【図９】同プラズマディスプレイ装置の外観斜視図
【符号の説明】
１０　パネル
１３　回路ブロック
１４　バックカバー
１５　前面枠
１５ａ、２０ａ、２５ａ、２６ａ　窓
２０、２４　飾り用前面枠
２１、２７　両面接着テープ
２３　係止片
２５　ベース枠
２６　飾り板
【図１】
2004072149.tif 000003
【図２】
2004072149.tif 000004
【図３】
2004072149.tif 000005
【図４】
2004072149.tif 000006
【図５】
2004072149.tif 000007
【図６】
2004072149.tif 000008
【図７】
2004072149.tif 000009
【図８】
2004072149.tif 000010
【図９】
2004072149.tif 000011